(57)【特許請求の範囲】
【請求項１】
底板と、前記底板の幅方向の両端から上方に向かって伸びる側板と、を有し、前記底板に下穴が形成された軒樋に装着されるドレン部材であって、
前記底板の下面に配置され内周に受入口が形成された下側フランジ部と、前記下側フランジ部の下方に形成され下方に向かって延在する外筒部と、前記下側フランジ部と前記外筒部の上端部を接続し下方に向かうにしたがって縮径される外筒縮径部と、前記外筒部の内周面に形成された内周ネジ部と、を有する下側ドレン部材と、
前記底板の上面に配置され内周側に落し口部が形成された上側フランジ部と、前記上側フランジ部の下方に形成され下方に向かって延在し前記外筒部に挿入される内筒部と、前記上側フランジ部と前記内筒部の上端部を接続し下方に向かうにしたがって縮径される内筒縮径部と、前記内筒部の外周面に形成され前記内周ネジ部と螺合される外周ネジ部と、を有する上側ドレン部材と、
を備え、
前記上側ドレン部材は、
前記外周ネジ部の下端部から下方に延在し、前記外筒部の下端までの長さよりも短いガイドスリーブと、
前記上側フランジ部の下側面の前記下穴の周縁部と対応する位置に全周にわたって配置され、外周側の平坦面と内周側の下方に向かって突出する突出面の境界において屈曲することにより形成された線状の屈曲凹部と、を備え、
前記下側ドレン部材は、
前記外筒部の上部に、外周側に向かって延在し、前記外筒部が接続される継手部材の受口部と対応する突出部を備え、
前記外筒縮径部の内周上端部の直径が、前記下穴の直径よりも大きい
ことを特徴とするドレン部材。
【請求項２】
請求項１に記載のドレン部材であって、
前記ガイドスリーブの管軸方向における長さは、前記下側フランジ部の上面から前記突出部の上面までの高さ寸法よりも長い
ことを特徴とするドレン部材。
【請求項３】
請求項１または２に記載のドレン部材であって、
前記上側ドレン部材は、
前記内筒縮径部の外周面に形成され、前記屈曲凹部から前記内筒部の外周面まで連続的に縮径される連続縮径外周面を備えている
ことを特徴とするドレン部材。
【請求項４】
請求項１〜３のいずれか一項に記載のドレン部材であって、
前記下側ドレン部材の前記外筒部には、下端から上方に向かってくぼむ凹部が形成されていて、
前記ガイドスリーブの下端部は、
前記凹部の上側底面よりも上方に位置されている
ことを特徴とするドレン部材。
【請求項５】
底板と、前記底板の幅方向の両端から上方に向かって伸びる側板と、を有し、前記底板に形成された下穴に、請求項１〜４のいずれか一項に記載のドレン部材が装着されていることを特徴とする軒樋。
【発明の詳細な説明】
【技術分野】
【０００１】
この発明は、軒樋に取付けられ、軒樋と下流側の竪樋や継手とを接続するドレン部材、サイフォンドレン部材、及び軒樋に関する。
【背景技術】
【０００２】
周知のように、例えば工場やショッピングセンター等の大型施設の建物に取り付けられた軒先に配置される大型の軒樋の内側に設けられた高排水機能を有するサイフォンドレン部材が広く用いられている（例えば、特許文献１参照。）。
【０００３】
このようなサイフォンドレン部材は、軒樋の底板を挟んで下面に配置される下側ドレン部材と、上面に配置され上部にサイフォン部が形成された上側ドレン部材とを備えたドレン部材を備えることが一般的である。
このような下側ドレン部材と上側ドレン部材とを備えたドレン部材は、サイフォンドレン部材に限らず、種々の用途に適用されている。
【０００４】
ドレン部材９００は、図１１Ａに示すように、例えば、底板（軒樋）１１（１０）の下面に配置される下側ドレン部材９１０と、軒樋１０の上側に配置される上側ドレン部材９１２と、を備えている。また、サイフォンドレン部材では、図１１Ｂに示すように、例えば、上側ドレン部材９１２の上部に配置されたサイフォン部９５０を備えた構造とされている。
【０００５】
下側ドレン部材９１０は、例えば、内周側に受入口が形成された下側フランジ部９１１と、下側フランジ部９１１の下方に形成された外筒部９１２と、下側フランジ部９１１と外筒部９１２を接続する外筒縮径部９１３と、を有しており、外筒部９１２の内周面には内周ネジ部９１５が形成されている。
【０００６】
また、上側ドレン部材９２０は、例えば、内周側に落し口部が形成された上側フランジ部９２１と、上側フランジ部９２１の下方に形成された内筒部９２２と、上側フランジ部９２１と内筒部９２２を接続する内筒縮径部９２３と、を有しており、内筒部９２２の外周面には外周ネジ部９２５が形成されている。
【０００７】
そして、下側ドレン部材９１０は、軒樋１０の底板１１の下面に配置され、上側ドレン部材９２０は軒樋の底板１１の上面に配置されていて、内筒部９２２を下穴１１Ｈを通じて外筒部９１２に挿入して、下側ドレン部材９１０の管軸Ｏ１と上側ドレン部材９２０の管軸Ｏ２がほぼ同軸になるように配置して、内周ネジ部９１５と外周ネジ部９２５を螺合させて、ドレン部材９００として組み合わせる。
【０００８】
また、下側ドレン部材９１０は、外筒縮径部９１３の下部に段差部９１４が形成されていて、段差部９１４の下面９１４Ａが、下流側に接続されるエルボ（不図示）の受口部の上端面とを当接させて、ドレン部材９００の互いの距離を所定寸法に設定するようになっている。
【先行技術文献】
【特許文献】
【０００９】
【特許文献１】特開２０１９−００７３４０号公報
【発明の概要】
【発明が解決しようとする課題】
【００１０】
しかしながら、内筒部９２２を外筒部９１２に挿入して下側ドレン部材９１０と上側ドレン部材９２０を組み合わせる際には、図１１Ｂに示すように、内筒部９２２の下端部９２２Ｔが段差部９１４の上面９１４Ｂに引っ掛かる場合がある。
このように、内筒部９２２の下端部９２２Ｔが段差部９１４の上面９１４Ｂに引っ掛かると、内筒部９２２を外筒部９１２にスムースに挿入して、所定位置に効率的に配置することが容易にできなくなる。
【００１１】
また、図１１Ｂに示すように、外筒部９１２の内周面に形成された内周ネジ部９１５には、周方向に間隔をあけて隙間が形成されている場合がある。そのため、内筒部９２２を外筒部９１２に挿入して下側ドレン部材９１０と上側ドレン部材９２０を組み合わせる際に、外周ネジ部９２５が内周ネジ部９１５に形成された隙間に入り込んでしまい、管軸Ｏ１と管軸Ｏ２が傾いた状態で内周ネジ部９１５と外周ネジ部９２５が嵌合してしまうことがある。管軸Ｏ１と管軸Ｏ２が傾いた状態で内周ネジ部９１５と外周ネジ部９２５が嵌合されると、下側ドレン部材９１０と上側ドレン部材９２０の管軸Ｏ１、Ｏ２が同軸に配置されずに、上側ドレン部材９２０が下側ドレン部材９１０に対して傾いて嵌合され、所定のサイフォン作用を発生できなかったり、上側ドレンと軒樋底面との間に隙間が生じて漏水する虞がある。
そこで、上側ドレン部材の内筒部を下側ドレン部材の外筒部にスムースに挿入して所定位置に効率的に配置することが可能なドレン部材が望まれる。
【００１２】
本発明は、このような事情を考慮してなされたものであり、上側ドレン部材の内筒部を下側ドレン部材の外筒部にスムースに挿入することが可能なドレン部材、サイフォンドレン部材、配管構造を提供することを目的とする。
【課題を解決するための手段】
【００１３】
上記課題を解決するために、この発明は以下の手段を提案している。
（１）この発明の第一態様は、底板と、前記底板の幅方向の両端から上方に向かって伸びる側板と、を有し、前記底板に下穴が形成された軒樋に装着されるドレン部材であって、 前記底板の下面に配置され内周に受入口が形成された下側フランジ部と、前記下側フランジ部の下方に形成され下方に向かって延在する外筒部と、前記下側フランジ部と前記外筒部の上端部を接続し下方に向かうにしたがって縮径される外筒縮径部と、前記外筒部の内周面に形成された内周ネジ部と、を有する下側ドレン部材と、前記底板の上面に配置され内周側に落し口部が形成された上側フランジ部と、前記上側フランジ部の下方に形成され下方に向かって延在しｚｋ外筒部に挿入される内筒部と、前記上側フランジ部と前記内筒部の上端部を接続し下方に向かうにしたがって縮径される内筒縮径部と、前記内筒部の外周面に形成され前記内周ネジ部と螺合される外周ネジ部と、を有する上側ドレン部材と、を備え、前記上側ドレン部材と前記下側ドレン部材の少なくともいずれか一方は、前記上側ドレン部材と前記下側ドレン部材を装着する際に、前記内筒部を前記外筒部の内周側に向かって案内する挿入ガイド部を備えていることを特徴とする。
【００１４】
この発明に係るドレン部材によれば、上側ドレン部材と、上側ドレン部材の少なくともいずれか一方が挿入ガイド部を備えているので、上側ドレン部材と下側ドレン部材を装着する際に、内筒部が外筒部の内周側に向かって案内される。
その結果、上側ドレン部材の内筒部を下側ドレン部材の外筒部にスムースに挿入することができる。
【００１５】
（２）上記（１）に記載のドレン部材は、前記挿入ガイド部は、外筒縮径部の内周面に形成され、前記外筒部の内周面まで連続的に縮径される連続縮径内周面により構成されていてもよい。
【００１６】
この発明に係るドレン部材によれば、挿入ガイド部は、外筒縮径部の内周面に形成され、外筒部の内周面まで連続的に縮径される連続縮径内周面により構成されているので、上側ドレン部材の内筒部が、外筒縮径部に引っ掛かることなく外筒部の内方まで案内される。
その結果、内筒部を外筒部の内方に向かって効率的かつ安定して案内することができる。
【００１７】
ここで、「外筒縮径部の内周面に形成され、前記外筒部の内周面まで連続的に縮径される連続縮径内周面」とは、管軸を含む断面において、外筒縮径部の内周面が、外筒部の上端まで直線的又は曲線的、又は直線と曲線を組み合わせた形状の線によってスムースに構成されていることをいう。すなわち、外筒縮径部の内周面には段差や引っ掛かりを生じる膨らみがないことを意味しており、言い換えると、少なくとも外筒縮径部の内周面が縮径する場合に、必ず管軸方向の位置の変化をともなっていることが望ましい。なお、途中に引っ掛かりを生じない膨らみが形成されていても許容される。
【００１８】
（３）上記（１）又は（２）に記載のドレン部材は、前記挿入ガイド部は、前記外周ネジ部の下端部から下方に延在し、下方側の外周面が上方側の外周面に対して同径又は縮径されたガイドスリーブにより構成されていてもよい。
【００１９】
この発明に係るドレン部材によれば、挿入ガイド部は、外周ネジ部の下端部から下方に延在し、下方側の外周面が上方側の外周面に対して同径又は縮径されたガイドスリーブにより構成されているので、外筒縮径部の内周面と接触するのが抑制される。
その結果、内筒部を外筒部の内方に向かって効率的かつ安定して案内することができる。
【００２０】
ここで、「外周ネジ部の下端部」とは、外周ネジ部の高さがゼロとなる位置をいう。
また、「下方側の外周面が上方側の外周面に対して同径又は縮径されたガイドスリーブ」とは、例えば、ガイドスリーブの上端から下端まで同径筒状のストレート形状に形成されていること、下方側が上方側よりも縮径されたテーパ形状に形成されていること、ストレート形状とテーパ形状を組み合わせた形状に形成され、ガイドスリーブの上端から下端までの間に、上方側よりも外周側に向かって拡径されることにより下方を向く平坦部（段差部、突出部）がないことをいう。なお、挿入に支障とならない丘状の膨らみは許容される。
【００２１】
（４）上記（３）に記載のドレン部材は、前記ガイドスリーブの管軸方向における長さは、前記下側ドレン部材の前記外筒縮径部の管軸方向における長さよりも長く設定されていてもよい。
【００２２】
この発明に係るドレン部材によれば、ガイドスリーブの管軸方向における長さが、下側ドレン部材の前記外筒縮径部の管軸方向における長さよりも長く設定されているので、内筒部の外周面が外筒部の内周面と接触することなく、内筒部を外筒部に挿入することができる。
【００２３】
（５）上記（３）又は（４）に記載のドレン部材は、前記ガイドスリーブの管軸方向における長さは、前記下側ドレン部材の前記外筒部の管軸方向における長さよりも短く設定されていてもよい。
【００２４】
この発明に係るドレン部材によれば、ガイドスリーブの管軸方向における長さが、下側ドレン部材の外筒部の管軸方向における長さよりも短く設定されているので、ガイドスリーブが外筒部から下側に露出するのが抑制される。
その結果、上側ドレン部材を下側ドレン部材に挿入してドレン部材を構成した場合に、内筒部が下流側の継手等と接触することが抑制される。
【００２５】
（６）上記（５）に記載のドレン部材は、前記下側ドレン部材の前記外筒部には、下端から上方に向かってくぼむ凹部が形成されていて、前記ガイドスリーブの下端部は、前記凹部の上側底面よりも上方に位置されていてもよい。
【００２６】
この発明に係るドレン部材によれば、下側ドレン部材の外筒部には、下端から上方に向かってくぼむ凹部（例えば、工具装着用凹部）が形成されていて、ガイドスリーブの下端部が、凹部の上側底面よりも上方に位置されているので、ガイドスリーブ（内筒部）が凹部と重なることがない。
その結果、この凹部に施工用工具を差し込んで下側ドレン部材と上側ドレン部材を組み付ける際に、施工用工具がガイドスリーブの下端面に当接して施工の支障となることがなく、ドレン部材を効率的に取り付けることができる。
【００２７】
（７）上記（１）〜（６）のいずれか一項に記載のドレン部材は、前記上側ドレン部材は、前記上側フランジ部の下側面の前記下穴の周縁部と対応する位置に全周にわたって配置され、外周側の平坦面と内周側の下方に向かって突出する突出面の境界において屈曲することにより形成された線状の屈曲凹部を備えていてもよい。
【００２８】
この発明に係るドレン部材によれば、上側ドレン部材が、上側フランジ部の下側面の（軒樋の）下穴の周縁部と対応する位置に全周にわたって配置され、外周側の平坦面と内周側の下方に向かって突出する突出面の境界において屈曲することにより形成された線状の屈曲凹部を備えているので、下穴の内周面（内周壁面）に挿入され内周面（内周壁面）を基準として位置決めする位置決め段差部が必要されないので、位置決め段差部等が下穴の内周面と直接接触することがない。
したがって、上側フランジの下面に塗布した接着剤が下穴の内部や下穴を通じて下穴の内周面や底板の下面に垂れるのが抑制される。
その結果、ドレン部材を下穴に対して高品質かつ安定して位置決めすることができる。
【００２９】
ここで、「下穴の周縁部と対応する位置」とは、下穴の上側角部と同じ位置であることが好適であるが、下穴の周縁部の近傍で、接着剤等を挟んだ状態で外周側の平坦面が底板の上面に安定して配置される位置とされてもよい。
【００３０】
また、「境界において屈曲することにより形成された線状の屈曲凹部」とは、平坦面と突出面の境界に、平坦面と突出面（突出面が曲線である場合は境界における接線方向）の下方側の交差角度が９０°より大きな角度で開口している凹部をいう。なお、下方側の交差角度は１２０°以上であることが好適であり、１５０°以上であることがより好適である。また、知多穴の上側角部に安定して引っ掛かるためには、例えば、交差角度が１６０°以下であることが好適である。
【００３１】
（８）上記（１）〜（７）のいずれか一項に記載のドレン部材は、前記上側ドレン部材は、前記内筒縮径部の外周面に形成され、前記内筒部の外周面まで連続的に縮径される連続縮径外周面を備えていてもよい。
【００３２】
この発明に係るドレン部材によれば、上側ドレン部材は、内筒縮径部の外周面に形成され、内筒部の外周面まで連続的に縮径される連続縮径外周面を備えているので、上側ドレン部材の内筒縮径部が、下側フランジ部の内周側に形成された受入口の内周面や外筒縮径部の内周面に引っ掛かるのが抑制される。
その結果、内筒部を外筒部の内方に向かって効率的かつ安定して案内することができる。
【００３３】
ここで、「内筒縮径部の外周面に形成され、内筒部の外周面まで連続的に縮径される連続縮径外周面」とは、管軸を含む断面において、内筒縮径部の外周面が、内筒部の上端まで直線的又は曲線的、又は直線と曲線を組み合わせた形状の線によってスムースに構成されていることをいう。すなわち、内筒縮径部の外周面には段差がないことを意味しており、言い換えると、少なくとも内筒縮径部の外周面が縮径する場合に、必ず管軸方向の位置の変化をともなっていることが望ましい。なお、途中に引っ掛かりを生じない膨らみが形成されていても許容される。
【００３４】
（９）上記（１）〜（８）のいずれか一項に記載のドレン部材は、前記下側ドレン部材は、前記外筒部の上部に、外周側に向かって延在し、前記外筒部が接続される継手部材の受口部と対応する突出部を備えていてもよい。
【００３５】
この発明に係るドレン部材によれば、下側ドレン部材が、外筒縮径部の外周面に外周側に形成され、外筒部が接続される継手部材（下流側のエルボ等）の受口部と対応する突出部を備えているので、管軸方向において、継手との相対的位置を正確かつ効率的に設定することができる。
【００３６】
（１０）この発明の第二態様は、サイフォンドレン部材であって、上記（１）〜（８）のいずれか一項に記載のドレン部材と、前記上側ドレン部材の上部に配置されるサイフォン部と、備えることを特徴とする。
【００３７】
この発明に係るサイフォンドレン部材によれば、上側ドレン部材の内筒部を下側ドレン部材の外筒部にスムースに挿入することができる。
【００３８】
（１１）この発明の第三態様は、配管構造であって、上記（１）〜（８）のいずれか一項に記載のドレン部材を備えることを特徴とする。
【発明の効果】
【００３９】
この発明に係るドレン部材、サイフォンドレン部材、配管構造によれば、上側ドレン部材の内筒部を下側ドレン部材の外筒部の所定位置に効率的に挿入することができる。
【図面の簡単な説明】
【００４０】
【図１】本発明の第１実施形態に係るサイフォンドレン部材（ドレン部材）を備えた雨樋配管構造を説明する側面から見た図である。
【図２】第１実施形態に係るサイフォンドレン部材の概略を説明する軒樋に取付けた状態を示す斜視図である。
【図３】第１実施形態に係るサイフォンドレン部材の詳細を説明する斜視図である。
【図４】第１実施形態に係るサイフォンドレン部材の概略構成を説明する軒樋の長手方向と直交する概略構成図である。
【図５】第１実施形態に係るサイフォンドレン部材の概略構成を説明する軒樋を含む分解した概略構成図である。
【図６Ａ】第１実施形態に係るサイフォンドレン部材の概略構成を説明する組立てた状態を示す縦断面図である。
【図６Ｂ】第１実施形態に係るサイフォンドレン部材の概略構成を説明する分解した状態を示す縦断面図である。
【図６Ｃ】第１実施形態に係るサイフォンドレン部材の落し口部の概略構成を説明する縦断面図である。
【図６Ｄ】第１実施形態に係るサイフォンドレン部材の概略構成を説明する下側ドレン部材とエルボの受口部の関係を示す縦断面図である。
【図７Ａ】本発明の第２実施形態に係るサイフォンドレン部材の概略構成を説明する組立てた状態を示す縦断面図である。
【図７Ｂ】第２実施形態に係るサイフォンドレン部材の概略構成を説明する分解した状態を示す縦断面図である。
【図８Ａ】本発明の第３実施形態に係るサイフォンドレン部材の概略構成を説明する組立てた状態を示す縦断面図である。
【図８Ｂ】第３実施形態に係るサイフォンドレン部材の概略構成を説明する分解した状態を示す縦断面図である。
【図９Ａ】本発明の第４実施形態に係るサイフォンドレン部材の概略構成を説明する組立てた状態を示す縦断面図である。
【図９Ｂ】第４実施形態に係るサイフォンドレン部材の概略構成を説明する分解した状態を示す縦断面図である。
【図９Ｃ】第４実施形態に係る上側ドレン部材に形成された位置決めエッジ部の概略構成を説明する縦断面図である。
【図１０Ａ】本発明の第５実施形態に係るサイフォンドレン部材の概略構成を説明する組立てた状態を示す縦断面図である。
【図１０Ｂ】第５実施形態に係るサイフォンドレン部材の概略構成を説明する分解した状態を示す縦断面図である。
【図１１Ａ】従来技術に係るドレン部材の概略構成を説明する組立てた状態を示す縦断面図である。
【図１１Ｂ】従来技術に係るサイフォンドレン部材のねじ構造の概略構成を説明する斜視図である。
【図１１Ｃ】従来技術に係るドレン部材を組立てる際の問題点を説明する縦断面図である。
【発明を実施するための形態】
【００４１】
＜第１実施形態＞
以下、図１〜図６Ｄを参照し、本発明の第１実施形態について説明する。
図１は、本発明の第１実施形態に係るサイフォンドレン部材（ドレン部材）を備えた雨樋配管構造を説明する側面から見た図である。図２〜図５は、第１実施形態に係るサイフォンドレン部材の概略を説明する図である。
図において、符号１は、雨樋配管構造（配管構造）を、符号１０は雨樋を、符号１１は底板を、符号１２は側板を、符号１１Ｈは下穴を示している。また、符号１００はサイフォンドレン部材（ドレン部材）を、符号１１０は下側ドレン部材を、符号１２０は上側ドレン部材を、符号１５０はサイフォン部を示している。なお、図面では、説明をわかりやすくするために形状等を強調しており、図面における寸法関係等は必ずしも整合しないものとする。
【００４２】
雨樋配管構造（配管構造１は、図１に示すように、例えば、軒樋１０と、軒樋１０の底面１１に形成される円形の下穴（貫通穴）１１Ｈに装着されるサイフォンドレン部材（ドレン部材）１００と、サイフォンドレン部材１００の下側に接続される第１エルボ（エルボ部材）２０と、第１エルボ２０の下流側に接続される呼び樋２４と、呼び樋２４の下流側２４Ｂに接続される第２エルボ（エルボ部材）２５と、第２エルボ２５の下流側に接続される竪樋３０とを備えている。
【００４３】
軒樋１０は、図１、図２、図４、図５に示すように、例えば、底板１１と、底板１１の幅方向の両端から上方に向かって伸びる側板１２と、を備え、長手方向に沿って見たときに、溝形断面に形成されている。また、底板１１には、平面視円形に形成された下穴１１Ｈが底板１１を厚さ方向に貫通して形成されている。
そして、軒樋１０は、不図示の鼻隠し板に取り付けられた雨樋吊具（不図示）により吊設されて、屋根の軒先（不図示）から流下した雨水を受けるようになっている。
【００４４】
この実施形態において、軒樋１０は、例えば、硬質塩化ビニル樹脂やＡＢＳ、ＡＥＳ等の合成樹脂で形成された押出成形品とされている。
なお、軒樋１０を形成する材料は任意に設定することが可能であり、合成樹脂に限定されることなく、例えば、金属の押出成形品で形成されていてもよい。
【００４５】
また、軒樋１０を合成樹脂で形成する場合には、熱による伸縮防止のため線膨張係数が２．０×１０−５／℃以下であることが好ましく、軒樋１０の厚さ方向の中心に延伸したＰＥＴ樹脂製シートや鉄製のシートなど低伸縮性シートを内挿したり、軒樋１０を構成する合成樹脂自体にワラストナイトや炭素繊維などの低伸縮性の添加物を配合することで線膨張係数を小さくすることが好適である。
【００４６】
また、軒樋１０は、底面幅が１００ｍｍ以上２００ｍｍ以下、高さが９０ｍｍ以上１５０ｍｍ以下とされ、例えば流量４リットル／ｓｅｃ以上２０リットル／ｓｅｃ以下の雨水を流すことができる大口径の竪樋に適用してもよい。
【００４７】
サイフォンドレン部材（ドレン部材）１００は、図１〜図５に示すように、例えば、下側ドレン部材１１０と、上側ドレン部材１２０と、上側ドレン部材１２０の上部に配置されるサイフォン部１５０と、を備え、軒樋１０に取付けられている。具体的には、下側ドレン部材１１０が軒樋１０の底板１１の下面１１Ｂ側に配置され、上側ドレン部材１２０が底板の上面１１Ａ側に配置されている。
【００４８】
サイフォンドレン部材１００を形成する材料は任意に設定することが可能である。
この実施形態において、サイフォンドレン部材１０は、例えば、硬質塩化ビニル樹脂やポリカーボネート、ＡＢＳ、ＡＥＳ等の合成樹脂により形成された射出成形品とされている。なお、合成樹脂に限定されるのではなく、鋳鉄、ステンレス鋼やアルミニウムを鋳造することによって形成してもよい。
なお、下側ドレン部材１１０、上側ドレン部材１２０の詳細については、後述する。
以下、図２〜図５を参照して、サイフォン部１５０について説明する。
【００４９】
サイフォン部１５０は、図２〜図５に示すように、例えば、蓋部材１５１と、上側ドレン部材１２０と蓋部材１５１とを連結する縦リブ１５５と、把持リブ１５６と、誘導ガイド１５７と、を備えている。また、サイフォンドレン部１５０は、上側ドレン部材１２０の上部に配置されている。
【００５０】
蓋部材１５１は、図２、図３に示すように、例えば、上側ドレン部材１２０の上方に配置された平面視円形の円盤状部材とされている。また、蓋部材１５１は、上側部材１２０の管軸と同軸とされている。
そして、蓋部材１５１の外周縁１５１Ａと上側部材１２０の外周縁１２１Ｃとの間に形成される部分が、軒樋１０に溜まった雨水Ｗが落し口部１２１Ｈに流入する流入開口１００Ａを構成する。
【００５１】
なお、流入開口１００Ａは、水平面に対して直交する方向においていて、蓋部材１５１の外周縁１５１Ａと軒樋１０の上面１１Ａとの間、または上側ドレン部材１２０の上側フランジ部１２１との間のことをいう。
例えば、蓋部材１５１の外周縁１５１Ａが上側フランジ部１２１の外周縁１２１Ｃより大きい場合、流入開口１００Ａは蓋部材１５１の外周縁１５１Ａと軒樋１０の底面１１Ａとの間に形成される部分となり、蓋部材１５１の外周縁１５１Ａが上側フランジ部１２１の外周縁１２１Ｃより小さい場合、流入開口１００Ａは蓋部材１５１の外周縁１５１Ａと上側フランジ部１２１の上面１２１Ａとの間に形成される部分となる。
【００５２】
この流入開口１００Ａの面積は、上述した落し口部１２１Ｈの開口面積Ａ１よりも大きい面積となるよう、後述する蓋部材１５１の大きさや高さ、形状が調整される。本実施の形態では、流入開口１００Ａの面積は、円形の蓋部材１５１の円周、即ち外周縁１５１Ａの長さに、蓋部材１５１の高さＨとの積により求めることができる。
【００５３】
蓋部材１５１は、複数の縦リブ１５５に下方から支持された状態で上側ドレン部材１２０に支持されている。
また、蓋部材１５１は、上述したように軒樋１０の内側に配置され、落し口部１２１Ｈから上方に離間した位置に配置されるとともに、蓋部材１５１の下側となる軒樋１０の上面１１Ａに落し口部１２１Ｈへ雨水Ｗを流入させる流入開口１００Ａを形成している。
また、蓋部材１５１は、軒樋１０の上面１１Ａから上方に向けた高さＨで１０〜６０ｍｍの位置に設定されていることが好適である。
【００５４】
また、蓋部材１５１の平面視したときの大きさは任意に設定することが可能であるが、落し口部１２１Ｈの開口を塞ぐように配置されるとともに、落し口部１２１Ｈの開口面積より大きく設定されていることが好適である。なお、落し口部１２１Ｈの開口面積と等しく又は開口面積より小さく設定されていてもよい。
また、例えば、蓋部材１５１に上面から落し口部１２１Ｈに貫通する貫通穴が上下方向に形成されていてもよい。
【００５５】
さらに、蓋部材１５１の高さＨが軒樋１０の底面１０ａから上方に３０〜４０ｍｍの位置に設定され、かつ蓋部材１５１の直径が落し口部１２１Ｈの開口外径Ｒ１の１５０〜２００％に設定されていることがより好適である。
蓋部材１５１の直径が落し口部１２１Ｈの開口外径Ｒ１の１５０％よりも小さい場合には、軒樋１０内の水位が蓋部材１５１よりも低くなり、蓋部材１５１が流入する水に接しない虞がある。また、蓋部材１５１の直径が２００％を超えると、流入開口１００Ａから流入する水流が蓋部材１５１に衝突する割合が大きくなり、軒樋１０内の水位が蓋部材１５１よりも高くなり過ぎて、サイフォン性能を低下させる可能性がある。
【００５６】
なお、サイフォン作用発生のためには、流入開口１００Ａより軒樋１０内の水位が高くなる必要があり、蓋部材１５１の高さＨは軒樋１０内の最大水位よりも低い必要がある。安定的なサイフォン作用発生のため、蓋部材１５１の高さＨは、軒樋１０内の最大水位の０．１〜０．５倍の高さであることが好適であり、０．２〜０．４５倍の高さであることがより好適である。
なお、軒樋１０内の最大水位は、軒樋１００の側板１２のどこいた１１からの高さのうち最も低いものをいう。
【００５７】
また、上記のような位置に設定される蓋部材１５１を設けるための好適な内筒部１２２の内筒内周穴１２２Ｈの内径（開口外径）Ｒ１は、５０ｍｍ以上１７０ｍｍ以下が好適である。すなわち、落し口部１２１Ｈの開口外径Ｒ１を下限の５０ｍｍ以上とすることで、サイフォン部（サイフォンドレン部材１００）５０で発生する大流量の排水をスムーズに排水することができる。
そして、上限の１７０ｍｍ以下とすることで収まりが小さくなり、継手や支持具の大型化を防ぐことができる。
【００５８】
また、蓋部材１５１には、図２〜図５に示すように、上面１５１Ｂから上方に突出し、周方向に間隔をあけて配置される把持リブ１５６が設けられている。この把持リブ１５６を掴むことで、サイフォンドレン部材１００を締め込む際の回転操作を容易に行うことができる。
【００５９】
また、把持リブ１５６は、円周方向に延びるリブ本体１５６Ａと、リブ本体１５６Ａの両端から外周側に向けて突出する延出部１５６Ｂと、からなる。周方向に隣り合う把持リブ１５６、１５６同士の間には、例えばサイフォンドレン部材１００を第１エルボ２０に装着するときに例えば棒状部材を係合させて、その棒状部材を回転させることで締め込むことができる。
また、把持リブ１５６、１５６同士の間に隙間が形成されているので、軒樋１０内の落ち葉などのゴミが通過し易くなり、絡まってしまうことを防ぐことができる。
【００６０】
誘導ガイド１５７は、図３〜図５に示すように、蓋部材１５１の下面１５１Ｃの平面視中央部においてドレン軸Ｏ（蓋中心）に向かうに従い漸次下方に延びる曲線を有する複数の誘導ガイド１５７がドレン軸Ｏから径方向に向けて放射状に延びて設けられている。
誘導ガイド１５７は、軒樋１０内の雨水Ｗを流入開口１００Ａから落し口部（落し口部１２１Ｈの開口）へ誘導するためのものである。
なお、誘導ガイド１５７は、上端と下端に穴が形成された漏斗状や筒状の壁部によって形成されていてもよい。
【００６１】
縦リブ１５５は、図３に示すように、上側ドレン部材１２０の上面１２１Ａと、蓋部材１５１の下面１５１Ｃの外周部とを連結している。すなわち、蓋部材１５１は、複数の縦リブ１５５によって下方から支持され、軒樋１０の上面１１Ａから所定高さＨを確保した位置で保持されている。これら縦リブ１５５は、流入開口１００Ａに設けられ、平面視で径方向に対して交差し、かつ湾曲して形成されている。つまり縦リブ１５５は、流入開口１００Ａから落し口部１２１Ｈに流入される雨水Ｗを整流する機能を有している。
【００６２】
サイフォン部１５０において、内筒部１２２の内筒内周穴１２２Ｈの内径と、上側フランジ部１２１が連設される内面側の上面１２３Ａは、テーパー面、或いは曲面に形成されたベルマウス形状をなしている。この内面側の上面（接続部分）１２３Ａが曲面である場合、ドレン軸Ｏと平行な方向の断面の曲率半径は５ｍｍ〜２０ｍｍであることが好適である。
【００６３】
次に、上述したサイフォンドレン部材１００のサイフォン部１５０の作用について説明する。
サイフォン部１５０は、図３に示すように、平面視したときに、落し口部１２１Ｈの開口を塞ぐとともに、大雨時に多量の雨水が流入開口１００Ａから流入したときにも空気を吸い込むことなく竪樋３０が満水状態となって水封される。その結果、下流側にサイフォン現象を発生させることができる。
【００６４】
このようなサイフォンドレン部材１００は、例えば、工場やショッピングセンター等の大型施設の建物に取り付けられている雨樋配管構造１のうち軒先に配置される軒樋１０の内側に設けられ、高排水機能を発揮する。
【００６５】
第１エルボ（エルボ部材、継手部材）２０は、サイフォンドレン部材（ドレン部材）１００の下流側に設置される継手である。そして、第１エルボ２０は、図１に示すように、サイフォンドレン部材１００の下側に接続されている。
第１エルボ２０は、図１に示すように、第１受口部（一端）２１と、第２受口部（他端）２２と、側面視でほぼ９０°に湾曲する曲管部２３と、を備えている。
【００６６】
第１受口部２１は、サイフォンドレン部材１００の下側ドレン部材１１０に接続可能な内径に形成されていて、図１に示すように、曲管部２３との接続部分に曲管部２３に向かって縮径された受口底面２１Ａが形成されている。そして、この受口底面２１Ａは、挿入された配管簿端部と当接して、配管との相対位置を確保可能とされている。
【００６７】
曲管部２３は、第１受口部２１から流入した雨水Ｗの流速を低下させずに、雨水Ｗを円滑に流動させるために、管軸を含む断面（管軸に沿った）で見たときに、例えば、外側壁部（曲率が小さい側）及び内側壁部の曲率半径が少なくとも６４ｍｍより大きく、かつ１２５ｍｍよりも小さく形成されていることが好適である。
また、第１エルボ２０の第２受口部２２は、呼び樋２４の上流端部が接続される。
【００６８】
呼び樋２４は、第１エルボ２０から流下した雨水Ｗを横引きする部材であり、サイフォンドレン部材１００から流下した雨水Ｗを水平に導水するものであり、水平方向に沿って延在する直管とされている。また、下流側は第２エルボ２５によって竪樋３０の上端３０Ａに接続されている。
【００６９】
また、呼び樋２４は、上流端部から呼び樋２４の下流端部２４Ｂまでの長さ（呼び樋長さ）が、０．６ｍ以上１．５ｍ以下であることがより好適であり、０．６ｍ以上１．０ｍ以下であることがより好適である。
呼び樋長さを前述の範囲内とすることによって、第１エルボ２０から流下した雨水Ｗを満水状態で円滑に流すことができる。
呼び樋２４の下流端部２４Ｂは、第２エルボ２５の第１受口部が接続される。第２エルボ２５は、第１エルボ２０と同様の構成を有している。
【００７０】
第２エルボ２５の第２受口部には、竪樋３０の上端部３０Ａが接続される。
竪樋３０は、第２エルボ２５を流下した雨水Ｗを縦引きする部材であり、上下方向に沿って延びる直管である。竪樋３０の下端側は、例えば、地面に接続され地中に埋設された集水桝（不図示）に接続される。集水桝は、連結管（不図示）を介して、下水管等の排水構造に接続されるように構成されている。
【００７１】
竪樋３０は、建物の外壁に沿って上下方向に配設された直管であり、第２エルボ２５から流下した雨水Ｗを下方に流下させる部材である。
なお、竪樋３０の上端部から下端部までの高さは、例えば、２．０ｍ以上であり、３．０ｍ以上であることが好適であり、４．０ｍ以上であることがより好適である。竪樋の長さ（高さ寸法）が上記範囲内であることによって、竪樋３０におけるサイフォン現象を良好に発生して維持することができる。竪樋長さが長くなると、下端部に流下する雨水Ｗの排水量が多くなり、集水桝の内部に雨水Ｗが勢いよく流入する。
【００７２】
このように組み立てられた雨樋１では、屋根に降った雨が軒樋１０に設けられたサイフォンドレン部材１００に流入開口１００Ａから流入し、落し口部１２１Ｈを通って、第１エルボ２０、呼び樋２４、第２エルボ２５を流れて竪樋３０に流下する。
そして、呼び樋２４から竪樋３０に流れ込んだ雨水Ｗは、地中に埋設されている排水管（不図示）に流下する。このとき、サイフォンドレン部材１００の下流側は満水状態で水封されることから、竪樋３０の中を満水状態にして流下することになり、落し口部１２１Ｈと呼び樋２４及び竪樋３０内でサイフォン現象を発生させて、竪樋３０から排水管（不図示）側に勢いよく排水されることになる。
【００７３】
次に、図６Ａ〜図６Ｄを参照して、サイフォンドレン部材１００を構成する下側ドレン部材１１０と、上側ドレン部材１２０について説明する。
図６Ａは、第１実施形態に係るサイフォンドレン部材の概略構成を説明する組立てた状態を示す縦断面図であり、図６Ｂは、分解した状態を示す縦断面図である。また、図６Ｃは、サイフォンドレン部材の落し口部の概略構成を説明する縦断面図であり、図６Ｄは、サイフォンドレン部材の概略構成を説明する下側ドレン部材とエルボの受口部の関係を示す縦断面図である。なお、図６Ａ、図６Ｂは、サイフォンドレン部材においてサイフォン部を省略して簡略化した図である。
【００７４】
サイフォンドレン部材（ドレン部材）１００は、上述のように、下側ドレン部材１１０と、上側ドレン部材１２０と、上側ドレン部材１２０の上部に配置されるサイフォン部１５０と、を備えている。
【００７５】
下側ドレン部材１１０は、図６Ａ、図６Ｂに示すように、 例えば、軒樋１０の下面１１Ｂに配置される下側フランジ部１１１と、下側フランジ部１１１の下方に形成されて下方に向かって延在する外筒部１１２と、下側フランジ部１１１と外筒部１１２を接続する外筒縮径部１１３と、外筒部１１２の内周面に形成された内周ネジ部１１５と、を備えている。
【００７６】
下側フランジ部１１１は、例えば、平面視外形が円形に形成され、内周側に平面視円形の受入口１１１Ｈが形成されている。すなわち、下側フランジ部１１１は、平面視リング状の平板により形成されている。
また、下側フランジ部１１１は、外周側の上面１１１Ａが平坦面に形成され、内周側が平坦面に対して下方にくぼんだ凹部とされている。
そして、下側フランジ部１１１の上面１１１Ａは、軒樋１０の底板１１の下面１１Ｂに配置される。
【００７７】
外筒部１１２は、例えば、管軸Ｏ１を中心とする円筒形に形成され、軒樋１０に取付けられた状態で上下方向に延在している。
また、外筒部１１２の内方には、上下に貫通する外筒内周穴１１２Ｈが形成されている。
また、外筒部１１２の内周面には、内周ネジ部１１５が形成されている。
また、外筒部１１２の下端１１２Ｔには、上方に向かってくぼむ工具装着凹部（凹部）１１８が、周方向に９０°の間隔をあけて４つ形成されている。
なお、工具装着凹部（凹部）１１８の位置、数については任意に設定することが可能である。また、工具装着凹部（凹部）１１８の上側底面１１８Ａの上下方向位置は任意に設定することが可能であるが、内筒部１１２の下端部１１２Ｔよりも上側に形成されていることが好適である。
【００７８】
外筒縮径部１１３は、図６Ａ、図６Ｂに示すように、下方に向かうにしたがって縮径されることにより下側フランジ部１１１と外筒部１１２の上端部を接続している。
また、外筒縮径部１１３の内周面には、挿入ガイド部（連続縮内径面）１１３Ｇが形成されている。この実施形態において、挿入ガイド部（連続縮内径面）１１３Ｇは、例えば、外筒縮径部１１３の上端から外筒部１１２の内周面まで連続的に縮径される略円錐筒の内周側の傾斜面によって形成されている。すなわち、挿入ガイド部（連続縮内径面）１１３Ｇは、内周側に突出する段差や引っ掛かりを生じる膨らみがない構成とされている。
【００７９】
なお、連続縮内径面の形状については任意に設定することが可能であり、管軸Ｏ１を含む断面が直線状に縮径される略円錐形状に形成された傾斜面に限定されることなく、例えば、断面が曲線状に縮径される構成や、直線と曲線を組み合わせた斜面によって構成されてもよい。
【００８０】
内周ネジ部１１５は、外筒部１１２の内周面に形成されている。
なお、内周ネジ部１１５は、公知の種々の形状のものが適用可能である。具体的には、周方向に間隔をあけて形成されたものや周方向に連続して形成されたものであってもよい。
【００８１】
上側ドレン部材１２０は、図６Ａ、図６Ｂに示すように、例えば、底板１１の上面１１Ａに配置され内周側に落し口部１２１Ｈが形成された上側フランジ部１２１と、上側フランジ部１２１の下方に形成され下方に向かって延在する内筒部１２２と、上側フランジ部１２１と内筒部１２２の上端部を接続し下方に向かうにしたがって縮径される内筒縮径部１２３と、内筒部１２２の外周面に形成された外周ネジ部１２５と、を備えている。
そして、上側ドレン部材１２０の内筒部１２２は、下側ドレン部材１１０の外筒部１１２に挿入され、外周ネジ部１１５と内周ネジ部１２５が螺合されて、サイフォンドレン部材１００を構成する。
【００８２】
上側フランジ部１２１は、例えば、平面視外形が円形に形成され、内周側に平面視円形の落し口１２１Ｈが形成されている。すなわち、上側フランジ部１２１は、平面視リング状の平板状に形成されている。
そして、上側フランジ部１２１の下面１２１Ｂは、軒樋１０の底板１１の上面１１Ａに配置される。
【００８３】
また、上側フランジ部１２１の下面１２１Ｂは、例えば、外周側に平坦面が形成され、平坦面の内周側に軸線Ｏ２に沿って下方に突出する円筒形状部からなる位置決め段差部１２６が形成されている。
そして、この位置決め段差部１２６が軒樋１０の下穴１１Ｈの内周面と接触することにより、上側ドレン部材１２０が下穴１１Ｈに対して位置決め可能とされている。
また、上側フランジ部１２１の上面１２１Ａは、図３に示すように、緩やかな曲線部により構成されている。
【００８４】
内筒部１２２は、例えば、管軸Ｏ２を中心とし外筒部１１２内に挿入可能な円筒形に形成され、軒樋１０に取付けられた状態で上下方向に延在している。
また、内筒部１２２の内方には、上下に貫通する内筒内周穴穴１２２Ｈが形成されている。
また、内筒部１２２の外周面には、外周ネジ部１２５が形成されている。
【００８５】
内筒縮径部１２３は、図６Ａ、図６Ｂに示すように、下方に向かうにしたがって縮径されることにより上側フランジ部１２１と内筒部１２２の上端部を接続している。
この実施形態では、内筒縮径部１２３の上面１２３Ａは、前述したサイフォン部１５０における落とし口１２１Ｈから内筒内周穴１２２Ｈへの流路表面を構成している。
【００８６】
また、この実施形態において、内筒縮径部１２３の外周面は、内筒部１２２の外周面まで連続的に縮径される連続縮径外周面とされている。具体的には、内筒縮径部１２３の外周面は、管軸Ｏ１を含む断面において、内筒部１２２の上端まで内周側に向かってくぼむ緩やかな曲線により構成されスムースな形状に形成されている。すなわち、内筒縮径部の外周面には段差が形成されていない。なお、連続縮径外周面を直線的な線や直線と曲線を組み合わせた線により内筒縮径部を構成してもよい。また、内筒縮径部の外周面に連続縮径外周面を形成するかどうかは任意に設定することが可能であり、連続縮径外周面を形成しない構成としてもよい。
【００８７】
外周ネジ部１２５は、内筒部１２２の外周面に形成されている。
なお、外周ネジ部１２５は、内周ネジ部１１５と螺合可能な公知の種々の形状のものが適用可能であり、例えば、周方向に間隔をあけて形成されたものや周方向に連続して形成されたものであってもよい。
【００８８】
次に、図６Ｃを参照して、サイフォン部１５０の流路表面をなす内筒縮径部１２３の上面１２３Ａについて説明する。図６に示す符号Ｐ１は、外筒縮径部１１３の下端部及び外筒部１１２の上端部の位置を示している。
内筒縮径部１２３の上面１２３Ａの曲率半径Ｒは、図６Ｃに示すように、例えば、下穴１１Ｈの直径Ｄ０、外筒縮径部１１３の内周上端部の直径Ｄ１、落とし口１２１Ｈが直径Ｄ２、外筒縮径部１１３の下端部Ｐ１までの高さ寸法Ｌ１１を考慮して可能な範囲で大きく形成されていることが好適である。すなわち、内筒縮径部１２３の外周面が外筒縮径部１１３の内周上端部と干渉するのを回避するためには、外筒縮径部１１３すなわち上面１２３Ａの曲率を小さくするか、外筒縮径部１１３の直径Ｄ１を大きく設定することが好適である。
【００８９】
具体的には、例えば、下側ドレン部材１１０に接続される継手（エルボ等）や竪樋が呼び径７５の場合には、曲率半径Ｒを１０ｍｍ以上３０ｍｍ以下に設定することが好適である。
また、例えば、呼び径１００の場合には、曲率半径Ｒを１２ｍｍ以上４０ｍｍ以下に設定するのが好適であり、呼び径１２５の場合には、曲率半径Ｒを１３ｍｍ以上５０ｍｍ以下に設定することが好適である。
【００９０】
次に、図６Ｄを参照して、下側ドレン部材１１０の外周面形状について説明する。
外筒縮径部１１３は、下流側の継手部（第1エルボ２０）の第１受口２１の端面と当接するストッパは備えていない。
したがって、図６Ｄに示すように、外筒部１１２の上端部Ｐ１までの長さ寸法Ｌ１２を継手部（第1エルボ２０）の第１受口部２１の端面から受口底面２１Ａまでの長さ寸法Ｌ０よりも大きく設定することが好適ある。
このように設定することにより、ドレン部材１００と第１エルボ２０の管軸Ｏ２方向における相対的位置が正確に設定されるとともに、外筒縮径部１１３の外周面が第１受口部２１と干渉するのを防止することができる。
【００９１】
次に、上述したサイフォンドレン部材１００を軒樋１０を取り付ける手順について説明する。
まず、軒樋１０の底壁１１に、サイフォンドレン部材１００を取り付ける下穴（貫通穴）１１Ｈを形成する。
次に、例えば、下側ドレン部材１１０を軒樋１０内に進入させ、軒樋１０の下穴１１Ｈに内筒部１２２を挿入して下方に突出させ、上側フランジ部１２１の段差部１２６を軒樋１０の底板１１の下穴１１Ｈに挿入して固定する。下側フランジ部１２１の下面１２１Ｂには、例えば、接着剤やパッキンを装着させておく。
次いで、下側ドレン部材１２０の外筒部１２０を上側ドレン部材１１０に挿入して、外周ネジ部１１５と内周へ自部１２５を螺合させ、所定のところまで螺合させたら、施工工具（不図示）を工具装着用凹部（凹部）１１８に差し込んで引き続き回動させて、所定位置まで占め込んで、ドレン部材１００を固定する。
【００９２】
第１実施形態に係るサイフォンドレン部材１００によれば、下側ドレン部材１１０の外筒縮径部１１３の内周面に挿入ガイド部（連続縮内径面）１１３Ｇが形成されているので、上側ドレン部材１２０の内筒部１２２が、外筒縮径部１１３の内周面に引っ掛かることなく外筒部１１２の内方まで案内される。
その結果、上側ドレン部材１２０の内筒部１２２を下側ドレン部材１１０の外筒部１１２にスムースに挿入することができる。
【００９３】
第１実施形態に係るサイフォンドレン部材１００によれば、上側フランジ部１２１の下側面１２１Ｂに位置決段差部１２６が形成されているので、サンフォンドレン部材１００を正確かつ効率的に軒樋１０に取付けることができる。
【００９４】
第１実施形態に係るサイフォンドレン部材１００によれば、外筒部１１２の外周がストレートな部分の長さ寸法Ｌ１２が第１エルボ２０の受口部の長さ（深さ）Ｌ０よりも長く形成されているので、第１エルボ２０との管軸Ｏ方向における相対位置関係を正確に設定することができる。
【００９５】
＜第２実施形態＞
以下、図７Ａ、図７Ｂを参照して、本発明の第２実施形態について説明する。
図７Ａは、第２実施形態に係るサイフォンドレン部材の概略構成を説明する組立てた状態を示す縦断面図であり、図７Ｂは、分解した状態を示す縦断面図である。なお、図７Ａ、図７Ｂは、サイフォンドレン部材においてサイフォン部を省略して簡略化した図である。
図７Ａ、図７Ｂにおいて、符号２００はサイフォンドレン部材（ドレン部材）を、符号２１０は下側ドレン部材を、符号１１２Ｌは外筒部を、符号２２０は上側ドレン部材を、符号２２４は段差部を示している。
【００９６】
サイフォンドレン部材（ドレン部材）２００は、図７Ａ、図７Ｂに示すように、例えば、下側ドレン部材２１０と、上側ドレン部材２２０と、上側ドレン部材２２０の上部に配置されるサイフォン部（不図示）と、を備えている。
【００９７】
下側ドレン部材２１０は、図７Ａ、図７Ｂに示すように、例えば、軒樋１０の下面１１Ｂに配置される下側フランジ部１１１と、下側フランジ部１１１の下方に形成され下方に向かって延在する外筒部１１２Ｌと、下側フランジ部１１１の下方に接続された外筒縮径部２１３と、外筒縮径部２１３の下方に形成され外筒縮径部２１３と外筒部１１２Ｌの上端部を接続する段差部２１４と、外筒部１１２Ｌの内周面に形成された内周ネジ部１１５と、を備えている。
【００９８】
下側ドレン部材２１０が下側ドレン部材１１０と異なるのは、外筒部１１２に代えて外筒部１１２Ｌを備え、外筒縮径部１１３に代えて外筒縮径部２２３と段差部（突出部）２２４によって下側フランジ部１２１と外筒部１１２Ｌが接続されている点である。その他は、第１実施形態と同様であるので、同じ符号を付して説明を省略する。
【００９９】
外筒部１１２Ｌは、例えば、ドレン部材１００の下側ドレン部材１１０の外筒部１１２よりも上下方向寸法が長く形成されている。具体的には、第１実施形態に係る下側ドレン部材１１０の外筒部１１２に対してガイドスリーブ（挿入ガイド部）１２２Ｇと対応する寸法だけ長く形成されている。
なお、外筒部１１２Ｌの上下方向寸法については任意に設定することが可能であり、外筒部１１２と同程度に設定してもよい。
【０１００】
外筒縮径部２１３は、図７Ａ、図７Ｂに示すように、下方に向かうにしたがって縮径されることにより下側フランジ部１１１と段差部２１４の外周部を接続している。
この実施形態において、外筒縮径部２１３は、例えば、下側フランジ部１１１から段差部２１４の外周部まで直線的に漸次縮径される略円錐筒に形成されている。
【０１０１】
段差部２１４は、外筒部１１２Ｌの上端部に接続され、水平方向外周側に向かって延在する平面視略リング状の壁部により構成されている。
また、段差部２１４の外周部は、外筒縮径部２１３の下端部と接続されている。
そして、段差部２１４の下面２１４Ａは、外筒部１１２Ｌがエルボ（継手部材）等の受口部に挿入された際のストッパを構成する。
【０１０２】
上側ドレン部材２２０は、図７Ａ、図７Ｂに示すように、例えば、軒樋１０の上面１１Ａに配置され内周側に落し口部１２１Ｈが形成された上側フランジ部１２１と、上側フランジ部１２１の下方に形成され下方に向かって延在するとともに外周面に外周ネジ部１２５が形成された内筒部１２２と、上側フランジ部１２１と内筒部１２２の上端部を接続し下方に向かうにしたがって縮径される内筒縮径部１２３と、内筒部１２２の下部に形成されたガイドスリーブ（挿入ガイド部）１２２Ｇと、を備えている。
【０１０３】
上側ドレン部材２２０が上側ドレン部材１２０と異なるのは、内筒部１２２の下部に形成されたガイドスリーブ（挿入ガイド部）１２２Ｇを備えている点である。その他は、第１実施形態と同様であるので、同じ符号を付して説明を省略する。
【０１０４】
ガイドスリーブ（挿入ガイド部）１２２Ｇは、図７Ａ、図７Ｂに示すように、内筒部１１２の外周ネジ部１２５の下端部から下方に延在し、下方側の外周面が上方側の外周面に対して同径の円筒筒状に形成されているので、外筒縮径部２１３の内周面１１３Ａや段差部２２４の上面２１４Ｂと接触するのが抑制される。
なお、ガイドスリーブ（挿入ガイド部）１２２Ｇの形状は任意に設定することが可能であり、例えば、先端（下方）側に向かってテーパ状に形成されていてもよいし、テーパとストレートを組み合わせた形状とされていてもよい。また、途中に引っ掛かりを生じない丘状の膨らみが形成されていてもよい。
【０１０５】
ガイドスリーブ（挿入ガイド部）１２２Ｇの管軸Ｏ２方向の長さＬ２１は任意に設定することが可能であるが、例えば、以下に示すように設定することが好適である。
例えば、ガイドスリーブ（挿入ガイド部）１２２Ｇの長さＬ２１は、図７Ａに示す下側フランジ部１１１の上面１１１Ａを起点とする位置決め段差部２１４の上面２１４Ａまでの高さ寸法Ｌ１３よりも長く設定されていることが好適である。Ｌ２１＞Ｌ１３に設定することにより、ガイドスリーブ（挿入ガイド部）１２２Ｇが位置決め段差部２１４の上面２１４Ａに接触するのを抑制され、内筒部１２２を外筒部１１２にスムースに挿入することができる。
【０１０６】
また、ガイドスリーブ１２２Ｇの下端部１２２Ｔが下側ドレン部材１１０の外筒部１１２Ｌに形成された工具装着用凹部１１８の少なくとも一部と重複しないように構成されていることが好適であり、図７Ａに示すように、ガイドスリーブ１２２Ｇの下端部１２２Ｔが工具装着用凹部１１８の上側底面１１８Ａよりも上方に位置されていることがより好適である。
【０１０７】
具体的には、図７Ａに示すように、ガイドスリーブ（挿入ガイド部）１２２Ｇの管軸Ｏ２方向の長さＬ２１が、ガイドスリーブ１２２Ｇの長さＬ２１と対応する位置を起点としたときの工具装着用凹部１１８の上側底面１１８Ａまでの長さ寸法Ｌ１４に対して、Ｌ２１＜Ｌ１４に設定されていると、施工する際に最後まで施工工具（不図示）を上側底面１１８Ａまで差し込んで効率的かつ安定して施工することができる。
【０１０８】
また、ガイドスリーブ（挿入ガイド部）１２２Ｇの長さＬ２１が、外筒部１１２Ｌの下端部１１２Ｔまでの長さ寸法Ｌ１５に対して、Ｌ２１≦Ｌ１５に設定されていると、少なくとも施工が終了するまで施工工具（不図示）を工具装着用凹部１１８に係合させて施工することができる。
なお、例えば、ガイドスリーブ１２２Ｇと干渉しない専用工具を工具装着凹部１１８に装着して施工してもよく、かかる専用工具により施工する場合には、ガイドスリーブ（挿入ガイド部）１２２Ｇの下端部１２２Ｔが外筒部１１２Ｌの下端部１２２Ｔよりも下方に位置されていてもよいことは言うまでもない。
【０１０９】
また、サイフォンドレン部材（ドレン部材）２００において、下側ドレン部材２１０の外筒部１１２Ｌを長くするのに代えて外筒縮径部２１３の上下方向寸法を長くすることにより、ガイドスリーブ（挿入ガイド部）１２２Ｇの下端部１２２Ｔと、外筒部１１２Ｌの下端部１１２Ｔや工具装着凹部１１８の上側底面１１８Ａとの上下方向位置を調整してもよい。
この場合、筒部１１２Ｌの下端部１１２Ｔから段差部（突出部）１１４の下面１１４Ａまでの寸法を、下側ドレン部材１１０に接続される継手（エルボ等）等の受口部の長さに合わせると、外筒縮径部２１３の上下方向寸法を長くして、図４Ｃに示す受入れ穴１１１Ｈの開口部の直径Ｄ０を拡径することが可能となり、結果的に、上側ドレン部材２２０の内筒縮径部１１３の上部に形成された落とし口１２１Ｈの直径Ｄ２を拡径して、落とし口部１２１Ｈの直径Ｄ１を大きくし外筒縮径部１１３すなわち上面１２３Ａの曲率を小さくしてスムース（緩やかな）曲面形状にすることが可能となる。
【０１１０】
第２実施形態に係るサイフォンドレン部材２００によれば、上側ドレン部材２２０が内筒部１２２の下部に形成されたガイドスリーブ１２２Ｇを備えているので、下側ドレン部材２２０が外筒縮径部２１４や段差部（突出部）２２４の内側面と接触することなく、内筒部１２２を外筒部１１２Ｌの内方に向かって効率的かつ安定して挿入することができる。
【０１１１】
また、サイフォンドレン部材２００によれば、ガイドスリーブ１２２Ｇの下端部１２２Ｔが、工具装着用凹部１１８の上側底面１１８Ａよりも上方に位置されているので、ドレン部材２００を組み立てて施工する際に、最後まで施工工具（不図示）を上側底面１１８Ａまで差し込んで効率的かつ安定して施工することができる。
【０１１２】
また、サイフォンドレン部材２００によれば、ガイドスリーブ１２２Ｇの管軸Ｏ（Ｏ１、Ｏ２）方向における長さＬ２１が、下側ドレン部材２１０の外筒部１１２Ｌの管軸Ｏ２方向における長さＬ１４よりも短く設定されているので、ガイドスリーブ１２２Ｇが外筒部１１２Ｌから下側に露出するのを抑制することができる。
【０１１３】
また、サイフォンドレン部材２００によれば、下側ドレン部材２１０が、外筒縮径部２１４の下方に外周側に突出する段差部（突出部）２１４を備えているので、下側ドレン部材２１０の下流側に接続される第１エルボ部（下流側の継手）２０の第１受口部２１の端面に段差部２１４の下面２１４Ａが当接して、下側ドレン部材２００と第１エルボ２０が互いに移動するのが抑制される。
その結果、サイフォンドレン部材２００と第１エルボ２０の相対的位置を正確かつ効率的に設定することができる。
【０１１４】
＜第３実施形態＞
以下、図８Ａ、図８Ｂを参照して、本発明の第３実施形態について説明する。
図８Ａは、第３実施形態に係るサイフォンドレン部材の概略構成を説明する組立てた状態を示す縦断面図であり、図８Ｂは、分解した状態を示す縦断面図である。なお、図８Ａ、図８Ｂは、サイフォンドレン部材においてサイフォン部を省略して簡略化した図である。
図８Ａ、図８Ｂにおいて、符号３００はサイフォンドレン部材（ドレン部材）を示している。
【０１１５】
サイフォンドレン部材（ドレン部材）３００は、図８Ａ、図８Ｂに示すように、例えば、下側ドレン部材３１０と、上側ドレン部材２２０と、上側ドレン部材２２０の上部に配置されるサイフォン部（不図示）と、を備えている。
すなわち、サイフォンドレン部材（ドレン部材）３００は、例えば、挿入ガイド部（連続縮内径面）１１３Ｇを備えた下側ドレン部材３１０と、ガイドスリーブ（挿入ガイド部）１２２Ｇを備えた上側ドレン部材２２０を組み合わせた構成とされている。
上側ドレン部材２２０については、第１実施形態、第２実施形態と同様であるので、同じ符号を付して説明を省略する。
【０１１６】
下側ドレン部材３１０は、図８Ａ、図８Ｂに示すように、 例えば、軒樋１０の下面１１Ｂに配置される下側フランジ部１１１と、下側フランジ部１１１の下方に形成されて下方に向かって延在する外筒部１１２Ｌと、下側フランジ部１１１と外筒部１１２Ｌを接続する外筒縮径部１１３と、外筒部１１２Ｌの内周面に形成された内周ネジ部１１５と、を備えている。また、下側ドレン部材３１０は、外筒縮径部１１３の内周面に形成された挿入ガイド部（連続縮内径面）１１３Ｇを備えている。
下側ドレン部材３１０は、外筒部１１２に代えて第２実施形態に係る外筒部１１２Ｌを備えている点で第１実施形態に係る下側ドレン部材１１０を異なる。その他は、第１実施形態と同様であるので、同じ符号を付して説明を省略する。
【０１１７】
また、ガイドスリーブ（挿入ガイド部）１２２Ｇの長さＬ２１は任意に設定することが可能であるが、例えば、ガイドスリーブ１２２Ｇの長さＬ２１を、図８Ａに示す下側フランジ部１１１の上面１１１Ａを起点とする外筒縮径部１１３の高さ寸法Ｌ１６よりも長く設定することが好適である。Ｌ２１＞Ｌ１６に設定することにより、ガイドスリーブ（挿入ガイド部）１２２Ｇを外筒部１１２にスムースに挿入することができる。
【０１１８】
なお、サイフォンドレン部材（ドレン部材）３００において、下側ドレン部材３１０の外筒部１１２Ｌを長くするのに代えて外筒縮径部１１３の上下方向寸法を長くすることにより、ガイドスリーブ（挿入ガイド部）１２２Ｇの下端部１２２Ｔと、外筒部１１２Ｌの下端部１１２Ｔや工具装着凹部１１８の上側底面１１８Ａとの上下方向位置を調整してもよい。
【０１１９】
この場合、外筒縮径部１１３の上下方向寸法を長くして、図４Ｃに示す受入れ穴１１１Ｈの開口部の直径Ｄ０を拡径することが可能となり、結果的に、上側ドレン部材２２０の内筒縮径部１１３の上部に形成された落とし口１２１Ｈの直径Ｄ２を拡径して、落とし口部１２１Ｈの直径Ｄ１を大きくし外筒縮径部１１３すなわち上面１２３Ａの曲率を小さくしてスムース（緩やかな）曲面形状にすることが可能となる。
【０１２０】
第３実施形態に係るサイフォンドレン部材３００によれば、下側ドレン部材３１０が挿入ガイド部（連続縮内径面）１１３Ｇを備え、上側ドレン部材２２０がガイドスリーブ（挿入ガイド部）１２２Ｇを備えているので、下側ドレン部材３１０と上側ドレン部材２２０を、効率的狩る安定して組み付けることができる。
【０１２１】
＜第４実施形態＞
以下、図９Ａ〜図９Ｃを参照して、本発明の第４実施形態について説明する。
図９Ａは、第４実施形態に係るサイフォンドレン部材の概略構成を説明する組立てた状態を示す縦断面図であり、図９Ｂは、分解した状態を示す縦断面図である。また、図９Ｃは、上側ドレン部材に形成された位置決めエッジ部の概略構成を説明する縦断面図である。なお、図９Ａ、図９Ｂは、サイフォンドレン部材においてサイフォン部を省略して簡略化した図である。
【０１２２】
図９Ａ、図９Ｂにおいて、符号４００はサイフォンドレン部材（ドレン部材）を、符号３２０は上側ドレン部材を、符号３２１は上側フランジ部を、符号３２１Ｅは位置決めエッジ部（屈曲凹部）を示している。
【０１２３】
サイフォンドレン部材（ドレン部材）４００は、図８Ａ、図８Ｂに示すように、例えば、下側ドレン部材１１０と、上側ドレン部材３２０と、上側ドレン部材３２０の上部に配置されるサイフォン部（不図示）と、を備えている。
下側ドレン部材１１０については、第１実施形態と同様であるので、同じ符号を付して説明を省略する。
【０１２４】
上側ドレン部材３２０は、図９Ａ、図９Ｂに示すように、例えば、底板１１の上面１１Ａに配置され内周側に落し口部１２１Ｈが形成された上側フランジ部３２１と、上側フランジ部３２１の下方に形成され下方に向かって延在する内筒部１２２と、上側フランジ部１２１と内筒部１２２の上端部を接続し下方に向かうにしたがって縮径される内筒縮径部１２３と、内筒部１２２の外周面に形成された外周ネジ部１２５と、を備えている。
【０１２５】
また、上側ドレン部材３２０は、上側フランジ部３２１の下側面３２１Ｂに配置された位置決めエッジ部（屈曲凹部）３２１Ｅを備えている。
位置決めエッジ部（屈曲凹部）３２１Ｅは、図９Ｃに示すように、例えば、上側フランジ部３２１の下側面３２１Ｂの軒樋１０の底板１１に形成された下穴１１Ｈの周縁部と対応する位置に形成されている。具体的には、下穴１１Ｈの周縁部の底板１１の上面角部１１Ｅと対応する位置に形成されており、下穴１１Ｈの形状が円形であれば、位置決めエッジ部（屈曲凹部）３２１Ｅは下穴１１Ｈと略同一またはやや小さい直径の円形に形成される。
なお、位置決めエッジ部（屈曲凹部）３２１Ｅは、底板１１の上側角部１１Ｅと同じ位置であることが好適であるが、下穴１１Ｈの周縁部の近傍で、接着剤等を挟んだ状態で外周側の平坦面が底板の上面に安定して配置される位置とされてもよい。
【０１２６】
また、位置決めエッジ部（屈曲凹部）３２１Ｅは、管軸Ｏ２を含む断面において、下穴１１Ｈよりも外周側に位置される上側フランジ部３２１の平坦な下側面（平坦面）３２１Ｂと内周側に位置され下方に向かって突出する内筒縮径部３２３の突出外周面（突出面）３２３Ｂの境界が屈曲することにより形成されている。言い換えると、上側フランジ部３２１の下側面（平坦面）３２１Ｂと内筒縮径部３２３の突出外周面（突出面）３２３Ｂとの接続部に位置決めエッジ部（屈曲凹部）３２１Ｅが形成されている。
また、位置決めエッジ部３２１Ｅは、下穴１１Ｈの周囲に周方向に全周にわたって形成されている。
【０１２７】
ここで、位置決めエッジ部（屈曲凹部）３２１Ｅは、平坦面と突出面（突出面が曲線である場合は境界における接線方向）の下方側の交差角度が９０°より大きな角度で開口している凹部をいう。なお、下方側の交差角度は１２０°以上であることが好適であり、１５０°以上であることがより好適である。また、知多穴の上側角部に安定して引っ掛かるためには、例えば、交差角度が１６０°以下であることが好適である。
【０１２８】
そして、位置決めエッジ部（屈曲凹部）３２１Ｅは、底板１１に形成された下穴１１Ｈの周縁部の上面１１Ａに形成される上面角部１１Ｅに引っ掛かることにより、上側ドレン部材３２０の下穴１１Ｈに対する位置ずれを抑制して、上側ドレン部材３２０の位置決めを可能とする。
【０１２９】
第４実施形態に係るサイフォンドレン部材４００によれば、上側ドレン部材３２０が位置決めエッジ部（屈曲凹部）３２１Ｅを備えているので、下穴１１Ｈの内周面（内周壁面）を基準とする位置決め段差部１２６が必要されないので、上側フランジ１２１の下面１２１Ｂに塗布した接着剤が下穴１１Ｈの内周面や底板１１の下面に垂れるのが抑制される。
その結果、ドレン部材４００を下穴に対して高品質かつ安定して位置決めすることができる。
【０１３０】
また、サイフォンドレン部材４００によれば、下側ドレン部材１１０が挿入ガイド部（連続縮内径面）１１３Ｇを備えているので、上側ドレン部材３２０の内筒部１２２を下側ドレン部材１１０の外筒部１１２にスムースに挿入することができる。
【０１３１】
＜第５実施形態＞
以下、図１０Ａ、図１０Ｂを参照して、本発明の第５実施形態について説明する。
図１０Ａは、第５実施形態に係るサイフォンドレン部材の概略構成を説明する組立てた状態を示す縦断面図であり、図１０Ｂは、分解した状態を示す縦断面図である。なお、図１０Ａ、図１０Ｂはサイフォン部を省略して簡略化した図である。
図１０Ａ、図１０Ｂにおいて、符号５００はサイフォンドレン部材（ドレン部材）を、符号４２０は上側ドレン部材を示している。
【０１３２】
サイフォンドレン部材（ドレン部材）５００は、図１０Ａ、図１０Ｂに示すように、例えば、下側ドレン部材３１０と、上側ドレン部材４２０と、上側ドレン部材４２０の上部に配置されるサイフォン部（不図示）と、を備えている。
下側ドレン部材３１０については、第３実施形態と同様であるので、同じ符号を付して説明を省略する。
【０１３３】
上側ドレン部材４２０は、図１０Ａ、図１０Ｂに示すように、例えば、軒樋１０の上面１１Ａに配置され内周側に落し口部１２１Ｈが形成された上側フランジ部３２１と、上側フランジ部３２１の下方に形成され下方に向かって延在するとともに外周面に外周ネジ部１２５が形成された内筒部１２２と、上側フランジ部１２１と内筒部１２２の上端部を接続し下方に向かうにしたがって縮径される内筒縮径部１２３と、内筒部１２２の下部に形成されたガイドスリーブ（挿入ガイド部）１２２Ｇと、を備えている。
また、上側ドレン部材４２０は、上側フランジ部３２１の下側面３２１Ｂに配置された位置決めエッジ部（屈曲凹部）３２１Ｅを備えている。
【０１３４】
上側ドレン部材４２０が上側ドレン部材３２０と異なるのは、内筒部１２２の下部に形成されたガイドスリーブ（挿入ガイド部）１２２Ｇを備えている点である。その他は、第４実施形態と同様であるので、同じ符号を付して説明を省略する。
【０１３５】
第５実施形態に係るサイフォンドレン部材（ドレン部材）５００によれば、下側ドレン部材３１０が挿入ガイド部（連続縮内径面）１１３Ｇを備え、しかも上側ドレン部材４２０がガイドスリーブ（挿入ガイド部）１２２Ｇを備えているので、上側ドレン部材４２０を下側ドレン部材３１０に効率的かつ安定して挿入することができる。
【０１３６】
また、サイフォンドレン部材５００によれば、上側ドレン部材４２０が位置決めエッジ部（屈曲凹部）３２１Ｅを備えているので、ドレン部材５００を下穴１１Ｈに対して高品質かつ安定して位置決めすることができる。
【０１３７】
なお、本発明は、上記実施の形態に限定されるものではなく、発明の趣旨を逸脱しない範囲において、種々の変更をすることが可能である。
【０１３８】
例えば、上記実施形態においては、ドレン部材がサイフォン部１５０を備えたサイフォンドレン部材１００である場合について説明したが、ドレン部材がサイフォン部１５０を備えるかどうかは任意に設定することが可能であり、サイフォン部１５０を備えていない構成としてもよい。サイフォンドレン部材２００、３００、４００、５００についても同様である。
また、上記実施形態において例示した下側ドレン部材１１０、２１０、３１０と、上側ドレン部材１２０、２２０、３２０の組み合わせについては任意に設定してもよい。
【０１３９】
また、上記実施形態においては、挿入ガイド部が、下側ドレン部材１１０の外筒縮径部１１３に形成された挿入ガイド部（連続縮内径面）１１３Ｇと、上側ドレン部材１２０の内筒部１２２の下部に延在するガイドスリーブ（挿入ガイド部）１２２Ｇにより構成される場合について説明したが、挿入ガイドの構成は、連続縮内径面面１１３Ｇ、ガイドスリーブ１２２Ｇに限定されることなく任意に設定してもよい。
【０１４０】
また、上記実施形態においては、下側ドレン部材１１０、２１０、３１０の下側ドレン部材縮径部１１３、２１３が、管軸Ｏ１を含む断面が直線状に縮径される略円錐形状に形成されている場合について説明したが、下側ドレン部材縮径部１１３、２１３の構成については任意に設定することが可能である。例えば、管軸Ｏ１を含む断面が曲線状に縮径される構成や、直線と曲線を組み合わせた斜面によって構成してもよい。また、内筒部１２２やガイドスリーブ１２２Ｇに引っ掛かりが生じない範囲で膨らみが形成されていてもよい。
【０１４１】
また、上記実施形態においては、内筒部１２２の下方に形成されたガイドスリーブ１２２Ｇが、先端部まで同径に形成されたストレート形状とされている場合について説明したが、ガイドスリーブの形状は任意に設定することが可能である。例えば、先端（下方）側が縮径されたテーパ形状に形成されていてもよいし、ストレートな円筒形状部とテーパ形状を組み合わせた形状に構成されていてもよい。また、外筒縮径部１１３等との間で引っ掛かりが生じない範囲で膨らみが形成されていてもよい。
【０１４２】
また、上記実施形態においては、ガイドスリーブ１２２Ｇの長さＬ２１が、図７Ａに示す下側フランジ部１１１の上面１１１Ａを起点とする位置決め段差部２１４の上面２１４Ａまでの高さ寸法Ｌ１３や、図８Ａに示す外筒縮径部１１３の下端部までの高さ寸法Ｌ１６よりも長く設定されている場合について説明したが、ガイドスリーブ１２２Ｇの長さＬ２１を位置決め段差部２１４の上面２１４Ａまでの高さ寸法Ｌ１３や外筒縮径部１１３の高さ寸法Ｌ１６よりも長くするかどうかは任意に設定してもよい。
【０１４３】
また、上記実施形態においては、ガイドスリーブ１２２Ｇの下端１２２Ｔまでの長さＬ２１が、外筒部１１２Ｌの下端１１２Ｔまでの長さＬ１４よりも短く形成されている場合について説明したが、ガイドスリーブ１２２Ｇの長さＬ２１を、外筒部１１２Ｌの下端１１２Ｔまでの長さＬ１４に対してどのようにするかは任意に設定することが可能であり、ガイドスリーブ１２２Ｇの長さＬ２１を、外筒部１１２Ｌの長さＬ１４より長く設定してもよい。また、内筒部１２２の下端１２２Ｔまでの長さについても同様に任意に設定することが可能である。
【０１４４】
また、上記実施形態においては、ガイドスリーブ１２２Ｇの下端部１２２Ｔまでの長さＬ２１が、工具装着凹部１１８の上側底面１１８Ａまでの長さＬ１５よりも短く形成されている場合について説明したが、ガイドスリーブ１２２Ｇの長さＬ２１の長さについては任意に設定することが可能である。例えば、外筒部１１２Ｌの下端１１２Ｔまでの長さＬ１４よりも長く設定してもよい。
【０１４５】
また、上記実施形態においては、上側ドレン部材１２０、２２０が位置決め段差部１２６を備え、上側ドレン部材３２０、４２０が位置決めエッジ部（屈曲凹部）３２１Ｅを備えている場合について説明したが、上側ドレン部材が位置決め段差部１２６、位置決めエッジ部（屈曲凹部）３２１Ｅを備えるかどうかは任意に設定してもよい。
【０１４６】
また、上記実施形態においては、下側ドレン部材２１０の外筒縮径部２１３の下側に、エルボ等の継手部材の受口部と対応して互いの位置関係を設定する位置決め段差部２１４が形成され、位置決め段差部２１４の上面２１４Ｂが段差面となる場合について説明したが、例えば、位置決め段差部２１４の内周面側に余肉部を設けることにより、位置決め段差部２１４が下面２１４Ｂのみで段差部を構成して位置決め段差部２１４の上面２１４Ｂに段差面が形成されないように構成してもよい。
【０１４７】
その他、本発明の趣旨に逸脱しない範囲で、前記実施形態における構成要素を周知の構成要素に置き換えることは適宜可能であり、また、前記した実施形態を適宜組み合わせて適用してもよい。
【符号の説明】
【０１４８】
１  雨樋配管構造（配管構造）
１０  軒樋
１１  底板
１１Ｈ  下穴
１１Ｅ  下穴上面角部
１２  側板
２０  エルボ
３０  竪樋
１００、２００、３００、４００、５００  サイフォンドレン部材（ドレン部材）
１１０、２１０、３１０  下側ドレン部材
１１１  下側フランジ部
１１１Ｈ  受入れ穴
１１２、１１２Ｌ  外筒部
１１２Ｈ  外筒内周穴
１１３  外筒縮径部
１１３Ｇ  挿入ガイド部（連続縮内径面）
１１５  内周ネジ部
２１３  外筒縮径傾斜部
２１４  段差部（突出部）
１２０、２２０、３２０、４２０  上側ドレン部材
１２１、３２１  上側フランジ部
１２１Ｂ、３２１Ｂ  上側フランジ部下面
１２１Ｈ  落し口部
１２２  内筒部
１２２Ｈ  内筒内周穴
１２２Ｇ  ガイドスリーブ（ガイド筒部、挿入ガイド部）
１２３  内筒縮径部
１２３Ｄ  段差部
１２５  外周ネジ部
１２６  位置決段差部
３２１Ｅ  位置決めエッジ部（位置決め屈曲部）
１５０  サイフォン部
【要約】
【課題】上側ドレン部材の内筒部を下側ドレン部材の外筒部にスムースに挿入することが可能なドレン部材、サイフォンドレン部材、配管構造を提供すること。
【解決手段】軒樋の底板に装着されるアイフォンドレン部材１００であって、前記底板に配置される上側フランジ部１２１と、前記上側フランジ部１２１の下方に形成された内筒部１２２と、前記上側フランジ部１２１と前記内筒部１２２を接続する内筒縮径部１２３とを有する上側ドレン部材１２０と、 前記底板の下面に配置される下側フランジ部１１１と、前記下側フランジ部１１１の下方に形成された外筒部１１２と、前記下側フランジ部１１１と前記外筒部１１２を接続する外筒縮径部１１３と、互いの管軸Ｏ１、Ｏ２を合わせるための挿入ガイド部１１３Ｇと、を有する下側ドレン部材１１０と、を備えていることを特徴とする。
【選択図】図６Ｂ【図１】
0006959465.tif 000002
【図２】
0006959465.tif 000003
【図３】
0006959465.tif 000004
【図４】
0006959465.tif 000005
【図５】
0006959465.tif 000006
【図６Ａ】
0006959465.tif 000007
【図６Ｂ】
0006959465.tif 000008
【図６Ｃ】
0006959465.tif 000009
【図６Ｄ】
0006959465.tif 000010
【図７Ａ】
0006959465.tif 000011
【図７Ｂ】
0006959465.tif 000012
【図８Ａ】
0006959465.tif 000013
【図８Ｂ】
0006959465.tif 000014
【図９Ａ】
0006959465.tif 000015
【図９Ｂ】
0006959465.tif 000016
【図９Ｃ】
0006959465.tif 000017
【図１０Ａ】
0006959465.tif 000018
【図１０Ｂ】
0006959465.tif 000019
【図１１Ａ】
0006959465.tif 000020
【図１１Ｂ】
0006959465.tif 000021
【図１１Ｃ】
0006959465.tif 000022